(57)【特許請求の範囲】
【請求項１】
第１の可動接点ばね板と、
この第１の可動接点ばね板の両端方向に並置される第２の可動接点ばね板と、
夫々の可動接点ばね板の中央部を夫々に対応して設けた成形支持体により支持して上記可動接点ばね板を板面に対して直交する方向に移動させるカードと、
励磁時に上記板面の一方側方向に上記可動接点ばね板を移動させるようにカードを駆動する電磁石ブロックと、
上記可動接点ばね板を挟み込む形で並行配設される２枚のシールド板から構成されたシールド部と、
上記シールド板で囲まれた空間内に臨み、上記電磁石ブロックの励磁によるカード駆動時に上記第１の可動接点ばね板の移動方向の板面の両端部それぞれと接触し、上記電磁石ブロックの非励磁時のカードの復帰動作により上記第１の可動接点ばね板の上記移動方向の板面の両端部それぞれと開離する一対の第１の接点部と、
上記電磁石ブロックの励磁によるカード駆動時に上記第２の可動接点ばね板の移動方向の板面の両端部それぞれと接触し、上記電磁石ブロックの非励磁時のカードの復帰動作により上記第２の可動接点ばね板の上記移動方向の板面の両端部それぞれと開離する上記シールド部の内面からなる一対の第２の接点部と、
上記電磁石ブロックの励磁によるカード駆動時に上記第１の可動接点ばね板の移動方向とは反対側の板面の両端部それぞれと開離し、上記電磁石ブロックの非励磁時のカードの復帰動作により上記第１の可動接点ばね板の上記移動方向とは反対側の板面の両端部それぞれと接触する上記シールド部の内面からなる一対の第３の接点部と、
上記シールド板で囲まれた空間内に臨み、上記電磁石ブロックの励磁によるカード駆動時に上記第２の可動接点ばね板の移動方向の板面の両端部それぞれと開離し、上記電磁石ブロックの非励磁時のカードの復帰動作により上記第２の可動接点ばね板の上記移動方向の板面の両端部それぞれと接触する一対の第４の接点部とを備え、
上記第１の可動接点ばね板を支持する上記成形支持体と上記第２の可動接点ばね板を支持する上記成形支持体との少なくとも一方の両側からは、上記電磁石ブロックの励磁によるカード駆動時における上記可動接点ばね板の移動方向の板面とは反対側の板面に並行するように上記可動接点ばね板の両端方向に向かうリブが延出形成され、
上記リブを延出形成した上記成形支持体から突出する上記可動接点ばね板の両側基部に、幅寸法を幅広とした広幅部が形成され、
上記リブは、延出方向と直交する方向の幅寸法が上記広幅部の幅寸法内となるとともに、上記広幅部内において上記広幅部に並行するように延長形成されたことを特徴とするリレー。
【請求項２】
上記第１の接点部が常開の接点部を、上記第４の接点部が常閉の接点部を、上記第２、第３の接点部がアース接点部を構成し、
上記リブは、上記第１の可動接点ばね板を支持する上記成形支持体に形成されていることを特徴とする請求項１記載のリレー。
【請求項３】
上記第１の接点部が常開の接点部を、上記第４の接点部が常閉の接点部を、上記第２、第３の接点部がアース接点部を構成し、
上記リブは、上記第２の可動接点ばね板を支持する上記成形支持体に形成されていることを特徴とする請求項１記載のリレー。
【請求項４】
上記リブは、上記第１の可動接点ばね板を支持する上記成形支持体と、上記第２の可動接点ばね板を支持する上記成形支持体との両方に形成されていることを特徴とする請求項１記載のリレー。
【請求項５】
上記リブを含めた上記成形支持体の成形材料がＬＣＰ材料であることを特徴とする請求項１〜４のうちいずれか１項記載のリレー。
【発明の詳細な説明】
【０００１】
【発明の属する技術分野】
本発明は、高周波リレー等のリレーに関するものである。
【０００２】
【従来の技術】
本発明のリレーの前提となる構造を備えたものとしては、本発明者らが提案した高周波リレーがある。
【０００３】
この高周波リレーは、図８に示すように並行するシールド板１６Ａ、１６Ｂの間に３つの固定接点部２０、２０、２０を一定間隔で設け、図において左端と中央の固定接点部２０，２０のシールド板１６Ａ側の面に対して両端の可動接点部を接触開離する可動接点ばね板２３Ａを固定接点部２０，２０とシールド板１６Ａとの間に配置し、中央と、右端の固定接点部２０，２０のシールド板１６Ｂ側の面に対して両端の可動接点部を接触開離する可動接点ばね板２３Ｂを固定接点部２０，２０とシールド板１６Ｂとの間に配置し、これら可動接点ばね板２３Ａ，２３Ｂを中央部をインサート成形により埋設した成形支持体２４，２４によりカード（図示せず）に保持させており、カードは電磁石ブロック（図示せず）の励磁により駆動されると、可動接点ばね板２３Ａの可動接点部が図示するように対応する固定接点部２０、２０に接触し、可動接点ばね板２３Ｂの可動接点部が対応する固定接点部２０，２０から開離してシールド板１６Ｂの板面に接触する方向に可動接点ばね板２３Ａ，２３Ｂを動かすようになっている。
【０００４】
ここで、電磁石ブロックが非励磁状態にあってはカードは復帰ばね（図示せず）の働きにより復帰駆動され、可動接点ばね板２３Ａの可動接点部が対応する固定接点部２０，２０より開離してシールド板１６Ａに接触し、可動接点ばね板２３Ｂの可動接点部が対応する固定接点部２０、２０に接触する方向に可動接点ばね板２３Ａ，３２Ｂを動かすようになっている。
【０００５】
従って、可動接点ばね板２３Ａの可動接点部と、対応する固定接点部２０，２０とで常開（以下ＮＯと言う）接点部が、可動接点ばね板２３Ｂの可動接点部と、対応する固定接点部２０，２０とで常閉（以下ＮＣと言う）接点部が構成されるのである。
【０００６】
【発明が解決しようとする課題】
ところで上記の構造において、ばね負荷と吸引曲線とを見ると、可動接点ばね板の支持点から可動接点部までの距離が長いためばね力が弱く、そのため電磁石ブロックを励磁してＮＯ接点部側の可動接点ばね板２３Ａを移動させ、その可動接点部を固定接点部２０，２０に接触させる場合、図６に示すばね負荷曲線（Ｉ）となり、接点接触開始から最終位置に至るオーバートラベルの過程におけるばね負荷曲線の傾きが緩やかで、大きな接点圧が得られず、開放特性も良くなかった。尚図６中IIは吸引力カーブである。
【０００７】
同様に復帰ばねの付勢による駆動により可動接点部を固定接点部１９ｃ、１９ａに接触させる可動接点ばね板２３Ｂにおいても大きな接点圧が得られなかった。
【０００８】
本発明は、上述の点に鑑みて為されたもので、その目的とするところは、大きな接点圧が得られるリレーを提供することにある。
【０００９】
【課題を解決するための手段】
上記目的を達成するために請求項１の発明では、第１の可動接点ばね板と、この第１の可動接点ばね板の両端方向に並置される第２の可動接点ばね板と、夫々の可動接点ばね板の中央部を夫々に対応して設けた成形支持体により支持して上記可動接点ばね板を板面に対して直交する方向に移動させるカードと、励磁時に上記板面の一方側方向に上記可動接点ばね板を移動させるようにカードを駆動する電磁石ブロックと、上記可動接点ばね板を挟み込む形で並行配設される２枚のシールド板から構成されたシールド部と、上記シールド板で囲まれた空間内に臨み、上記電磁石ブロックの励磁によるカード駆動時に上記第１の可動接点ばね板の移動方向の板面の両端部それぞれと接触し、上記電磁石ブロックの非励磁時のカードの復帰動作により上記第１の可動接点ばね板の上記移動方向の板面の両端部それぞれと開離する一対の第１の接点部と、上記電磁石ブロックの励磁によるカード駆動時に上記第２の可動接点ばね板の移動方向の板面の両端部それぞれと接触し、上記電磁石ブロックの非励磁時のカードの復帰動作により上記第２の可動接点ばね板の上記移動方向の板面の両端部それぞれと開離する上記シールド部の内面からなる一対の第２の接点部と、上記電磁石ブロックの励磁によるカード駆動時に上記第１の可動接点ばね板の移動方向とは反対側の板面の両端部それぞれと開離し、上記電磁石ブロックの非励磁時のカードの復帰動作により上記第１の可動接点ばね板の上記移動方向とは反対側の板面の両端部それぞれと接触する上記シールド部の内面からなる一対の第３の接点部と、上記シールド板で囲まれた空間内に臨み、上記電磁石ブロックの励磁によるカード駆動時に上記第２の可動接点ばね板の移動方向の板面の両端部それぞれと開離し、上記電磁石ブロックの非励磁時のカードの復帰動作により上記第２の可動接点ばね板の上記移動方向の板面の両端部それぞれと接触する一対の第４の接点部とを備え、上記第１の可動接点ばね板を支持する上記成形支持体と上記第２の可動接点ばね板を支持する上記成形支持体との少なくとも一方の両側からは、上記電磁石ブロックの励磁によるカード駆動時における上記可動接点ばね板の移動方向の板面とは反対側の板面に並行するように上記可動接点ばね板の両端方向に向かうリブが延出形成され、上記リブを延出形成した上記成形支持体から突出する上記可動接点ばね板の両側基部に、幅寸法を幅広とした広幅部が形成され、上記リブは、延出方向と直交する方向の幅寸法が上記広幅部の幅寸法内となるとともに、上記広幅部内において上記広幅部に並行するように延長形成されたことを特徴とする。
【００１０】
請求項２の発明では、請求項１の発明において、上記第１の接点部が常開の接点部を、上記第４の接点部が常閉の接点部を、上記第２、第３の接点部がアース接点部を構成し、上記リブは、上記第１の可動接点ばね板を支持する上記成形支持体に形成されていることを特徴とする。
【００１１】
請求項３の発明では、請求項１の発明において、上記第１の接点部が常開の接点部を、上記第４の接点部が常閉の接点部を、上記第２、第３の接点部がアース接点部を構成し、上記リブは、上記第２の可動接点ばね板を支持する上記成形支持体に形成されていることを特徴とする。
【００１２】
請求項４の発明では、請求項１の発明において、上記リブは、上記第１の可動接点ばね板を支持する上記成形支持体と、上記第２の可動接点ばね板を支持する上記成形支持体との両方に形成されていることを特徴とする。
【００１５】
請求項５の発明では、請求項１乃至４の何れかの発明において、上記リブを含めた上記成形支持体の成形材料がＬＣＰ材料であることを特徴とする。
【００１６】
【発明の実施の形態】
以下本発明を基本形態及び実施形態により説明する。
【００１７】
（基本形態）
本基本形態は図２〜図４に示すように合成樹脂成形材からなるベース１と、このベース１上に配設されるリレー機構部と、ベース１に被着する合成樹脂成形剤からなる箱状のケース２とで構成される。
【００１８】
リレー機構部の主要な構成である電磁石ブロック５は励磁コイル６を巻回したコイルボビン７と、コイルボビン７の中心透孔に貫挿させた鉄心８と、コイルボビン７の一端側にのぞいた鉄心８の一端を先部板面にかしめ固定して、この先部よりコイルボビン７に並行するように折り曲げてこの折曲片の先端をコイルボビン７の他端側に延長した継鉄９とから構成される。
【００１９】
この電磁石ブロック５は、コイルボビン７に設けたコイル端子１０、１０の下部をベース１に設けた嵌合孔１１よりベース１下面側に突出させるようにして、ベース１上に配設される。
【００２０】
電磁石ブロック５の励磁時に吸引駆動される接極子１２はＬ字状に曲げられた鉄片により形成され、一片１２ａをコイルボビン７の他端側に露出した鉄心８の他端に対向させるとともにその屈曲部の内隅を上記継鉄９の折曲片の先端に回動自在に当てるように配設される。また他片１２ｂの先端を後述するカード４の側面に当接させるようになっている。
【００２１】
ヒンジばね３は接極子１２の配設側のベース１上の一端部に設けた側壁２５の低位部１３に形成せる圧入溝１４に下部を圧入して配置され、一側端の上側より斜交いに延長形成した押さえ片３ａの先部で接極子１２の屈曲部の外隅を押圧して接極子１２の内隅部を継鉄９に押し当てて回動自在に継鉄６を枢支するようになっている。
【００２２】
電磁石ブロック５の配設部位と並行するベース１の片側上部には隔壁１５で電磁石ブロック５の配設部位と区切られ、隔壁１５及びベース１の一方側の側壁３６と両端の側壁２５とで囲まれたベース１上空間を接点部を内包するシールド部の配設部位としている。
【００２３】
このシールド部は並行配設される２枚のシールド板１６Ａ，１６Ｂから構成され、シールド部配設部位の両端側の側壁１５の内側面に沿うようにベース１上に形成した各リブ１７の両側面に両シールド板１６Ａ，１６Ｂの両端部の対向面を接面させて配設される。
【００２４】
このリブ１７はベース１のシールド板１６Ａ，１６Ｂの位置決めを行うためのもので、両シールド板１６Ａ，１６Ｂの配設位置はリブ１７の成形精度により決まり、しかもシールド板１６Ａ，１６Ｂの対向面側を接面する構成であるためシールド板１６Ａ，１６Ｂの板厚のばらつきの影響を受けず、そのためシールド板１６Ａ，１６Ｂの内側の板面間距離を高精度に設定できる。
【００２５】
このシールド板１６Ａ，１６Ｂ間を２分する中心線上において、シールド板１６Ａ，１６Ｂの中央位置に対応する位置と、上記各リブ１７の近傍の位置とに図４（ａ）に示すように夫々設けた孔１８を介して固定接点端子１９ａ、１９ｂ、１９ｃを夫々貫設してあり、各固定接点端子１９ａ〜１９ｃの固定接点部２０をシールド板１６Ａ，１６Ｂで囲まれた空間内に臨ませている。
【００２６】
ここでシールド部の配設部位の両端側にあるベース１の各側壁２５の上端には、接極子１２により駆動されるカード４の両端部に設けた回動枢軸部２１を支持してカード４をシールド部上方に橋架配置する支持部２２，２２を形成している。
【００２７】
カード４は可動接点ばね板２３Ａ，２３Ｂのインピーダンスに影響を与えるのを少なくし、特性インピーダンスの整合をとりやすくするために、空気の誘電率に近いテフロン（誘電率２．０）等の合成樹脂成形材料を使用した成形品からなり、上部両端面に回動枢軸部２１を一体形成するとともに下部両端部には可動接点ばね板２３Ａ，２３Ｂの中央部をインサート成形により支持した成形支持体２４を夫々設け、シールド部配設部位の上方に橋架配置されることで、可動接点ばね板２３Ａ，２３Ｂをシールド板１６Ａ，１６Ｂ間に配置するようになっている。
【００２８】
ここで従来例の課題を解決するために、本基本形態では、図１（ａ）に示すように成形支持体２４から突出する可動接点ばね板２３Ａ、２３Ｂの板面に並行するように成形支持体２４からリブ２４ａを一体に延出形成してある。尚リブ２４ａと板面とは分離されている。さてリブ２４ａの並行させる可動接点ばね板２３Ａ，２３Ｂの板面は後述するように電磁石ブロック５の励磁時に移動する方向の板面とは反対側の板面であり、また図１（ｂ）に示すようにリブ２４ａの延出方向と直交する方向の幅寸法Ｗを可動接点ばね板２３Ａ，２３Ｂの短手方向の幅寸法ｗよりも短くしてある。この寸法設定は仮に成形時に可動接点ばね板２３Ａ．２３Ｂの外側にはみ出るような成形ばりが発生するのを防ぎ、安定したばね負荷を得るためである。
【００２９】
カード４はベース１の両端側の側壁２５，２５の上端部に設けた回動支持部２２，２２により回動枢軸部２１が回動自在に支持されて橋架されるため、インサート成形によりばね支持部２４、２４に保持される可動接点ばね板２３Ａ，２３Ｂのベース１の上面に対する位置は高精度で設定されることになる。
【００３０】
回動枢軸部２１は図４（ａ）（ｂ）に示すように先部に正面断面が円形の軸部２１ａを形成するとともに、この軸部２１ａの背部に下部の正面断面が略逆三角形の回動支点部２１ｂを一体形成し、この回動支点部２１ｂの下端面を両側面にかけて円弧状の曲面としてその最下端位置を軸部２１ａの中心の高さ位置に一致させている。
【００３１】
一方、回動支持部２２は側壁２５の内側面に沿って形成されて上端面で回動支点部２１ｂを支持する支持台２２ａと、支持台２２ａに連続して側壁２５の上端部に形成され上端開放の角孔２２ｂとからなり、角孔２２ｂの両側内面間の距離を軸部２１ａの直径と同じとするとともに底部と上記回動支点部２１ｂの上端面の高さ位置までの距離を軸部２１ａの半径よりやや大きくし、軸部２１ａの下端と底部との間に隙間ができるようにしてある。
【００３２】
さてカード４の夫々のばね支持部２４にインサート成形により支持されている２枚の可動接点ばね板２３Ａ，２３Ｂは固定接点端子１９ａ〜１９ｃを結ぶ線の両側に偏倚配置されており、第１の可動接点ばね板２３Ａの両端部は中央の固定接点端子１９ａの固定接点部２０の一面と、一端側の固定接点端子１９ｂの固定接点部２０の一面とに対して夫々接触開離する可動接点を構成し、第２の可動接点ばね板２３Ｂの両端部は中央の固定接点端子１９ａの固定接点部２０の他面と、他端側の固定接点端子１９ｂの固定接点部２０の他面とに対して夫々接触開離する可動接点を構成するもので、これらの接触開離の動作はカード４の回動によって行われる。
【００３３】
シールド板１６Ａ，１６Ｂは夫々に近接する側の可動接点ばね板２３Ａ，２３Ｂのばね支持部２４を逃がすための逃げ部２６を中央から一端間の部位を反対方向へ曲げ加工により凹ませることで形成しており、この逃げ部２６両側のシールド板１６Ａ，１６Ｂの平坦面により可動接点ばね板２３Ａ，２３Ｂの両端部が固定接点部２０より開離して移動したときに接触するアース接点部を構成する。
【００３４】
また各シールド板１６Ａ，１６Ｂは共に同じ形状であって、夫々２本のアース端子２７ａ，２７ｂを一体に形成している。
【００３５】
更にシールド板１６Ａ，１６Ｂはベース１に配設したときに固定接点端子１９ａと、１９ｂ又は１９ｃとの間に位置するように逃げ部２６の形成部位の一端にアース端子２７ａを形成しており、このアース端子２７ａは、逃げ部２６を形成する部位の一端部下端より内側方向に直角に折り曲げて、その先端がベース１に配設時に固定接点端子１８ａ〜１８ｃを結ぶ直線上に位置するように延長形成した幅広片（図示せず）の先端より更に下方に直角に折り曲げた垂下片２８ｂの下端部の一端から更に垂下延長した細幅の板片からなる。他方のアース端子２７ｂは逃げ部２６を形成する部位の他端近傍の逃げ部２６外の位置より内側方向に直角に折り曲げてその先端が、ベース１に配設時に固定接点端子１８ａ〜１８ｃを結ぶ直線上に位置するように延長形成した幅広片（図示せず）の先端より更に下方に直角に折り曲げた垂下片２８ｂ’の下端部の一端から更に垂下延長した細幅の板片からなる。
【００３６】
このように形成されたシールド板１６Ａ，１６Ｂはベース１上に点対称的に配置することで、アース端子２７ａ、２７ｂを中央の固定接点端子１９ａと、端部の固定接点端子１９ｂ或いは１９ｃの間に配置することができるようになっている。
【００３７】
而してシールド板１６Ａ、１６Ｂをシールド部配設部位に配設する際には、それらの両端部の対向面を上述したようにリブ１７，１７の両側面に当接して位置決めするとともに、夫々の各アース端子２７ａ、２７ｂを一体形成している垂下片２８ｂ，２８ｂ’の幅に対応させてベース１に貫通させた挿通孔２９…を介して各アース端子２７ａ、２７ｂをベース１下面側に突出させるとともに垂下片２８ｂ又は２８ｂ’を挿通孔２９に挿入する。
【００３８】
そして上記のようにシールド板１６Ａ，１６Ｂをシールド部配設部位に配設した後に、ベース１の両端の側壁２５，２５の回動支持部２２にカード４の両端の回動枢軸部２１を回動自在に支持させてカード４をシールド部配設部位上方に橋架配設することで、可動接点ばね板２３Ａを固定接点端子１９ａ，１９ｂとシールド板１６Ａの逃げ部２６との間に、また可動接点ばね板２３Ｂを固定接点端子１９ａ、１９ｃとシールド板１６Ａの逃げ部２６との間に配置することができるのである。
【００３９】
カード４を橋架配設する場合は、側壁２５側の回動支持部２２の角孔２２ｂ内に上端開口より軸部２１ａを嵌めるとともに、支点台２２ａの上端面に回動支点部２１ｂを載置させることで、カード４はベース１の両端側壁間に橋架される。これにより角孔２２と軸部２１ａとで水平方向の支持を、また支点台２２ａと回動支点部２１ｂとで上下方向の支持を分担し、且つ軸部２１ａの中心と支点台２２ａの上端面の位置を一致させることで１カ所で支持する場合に比べて確実に回動枢軸部２１を支持することができるようになっている。また軸部２１ａの下端が角孔２２ｂの底部より浮く状態にあるためベース１の成形時に発生するバリを逃がすことができる。
【００４０】
橋架配設したカード４は復帰ばね３１により常時シールド板１６Ａ方向に下部側面が押圧付勢される。この復帰ばね３１はベース１の側壁３６の片側内面に形成した圧入溝３２に基部３１ａを圧入し、基部３１ａの上部一端よりシールド板１６Ｂ方向へ延長形成したばね片３１ｂの先端をシールド板１６Ｂの上端より上方に位置するカード４の下部側面に弾接し、電磁石ブロック５が非励磁状態において、回動枢軸部２１を中心としてカード４を回動させて内側の可動接点ばね板２３Ａの両端部をシールド板１６Ａの逃げ部２６両端の近傍の板面に当接させ、外側の可動接点ばね板２３Ｂの両端部を固定接点端子１９ａ，１９ｃの固定接点部２０，２０に接触させるようになっている。尚可動接点ばね板２３Ａ，２３Ｂの両端部の可動接点部を構成する部位は二股に分割してある。
【００４１】
ここで図３（ａ）に示すように、ばね片３１ｂが押圧するカード４の側面部位の反対側の同じ位置にカード４の側面部位には接極子１２の他片１２ｂの先端が当接するようになっており、この当接部位及びばね片３１ｂの押圧部位が相対向して力のバランス（均衡）を図り、リレー動作が安定するようにしてある。
【００４２】
さてベース１に電磁石ブロック５，シールド板１６Ａ，１６Ｂ、固定接点端子１９ａ〜１９ｄ、可動接点ばね板２３Ａ，２３Ｂを含むカード４、接極子１２，ヒンジばね３，復帰ばね３１等のリレー機構部の部材を配設した後、復帰ばね３１やヒンジばね３のばね圧調整を行う場合には、これらばね３１，３が臨むベース１の側壁２５の開口２５ａや側壁３６の開口３６ａから容易に行うことができる。
【００４３】
ばね圧調整終了後ベース１の両端の側壁２５や両側の側壁３６を内部に収めるようにしてベース１にケース２を被着すれば、所望の高周波リレーが完成することになる。
【００４４】
尚ケース２の天井面には、カード４の上端面に２カ所設けてある凹み部３４に夫々がはまる１対の回動支持部３４を２組設けてある。夫々の対はケース２をベース１上に被着する際の両側方向が反対となってもケース２の長手（両端）方向の１対の回動支持部３４の下部が夫々に対応する凹み部３７にはまるようなっている。そしてカード４側の凹み部３７の底部の高さ位置は、上記回動枢軸部２１の回動支点部２１ｂの下端の位置と同じ高さ位置となっており、ケース２を被着したときに凹み部３７に回動支持部３４がはまり、ベース１側だけでなく、ケース２側からもカード３を回動自在に支持して、リレーの取付方向によらずカード４の回動動作を安定させ、高周波特性の安定化を図っている。尚凹み部３７の底部は回動支持部３４の下面に当接した状態でカード４が両側方向に回動できるような円弧面に形成してある。
【００４５】
次に上述のように構成された本基本形態の高周波リレーの動作を説明する。
【００４６】
まず電磁石ブロック５が非励磁の状態では、復帰ばね３１の付勢によりカード４は電磁石ブロック５側へ移動する方向に回動した状態にあり、可動接点ばね板２３Ａは両端部がシールド板１６Ａの内面、つまりアース接点部に接触してアース端子２７ａ、２７ｂを通じて接地される。
【００４７】
一方可動接点ばね板２３Ｂは両端部が固定接点端子１９ａ，１９ｃの固定接点部２０、２０に接触して両固定接点端子１９ａ、１９ｃ間を導通させる。
【００４８】
次に電磁石ブロック５を励磁すると、鉄心８に接極子１２の一片１２ａが吸引され、接極子１２は回動する。この回動によりその他片１２ｂがカード４を押して、復帰ばね３１の付勢に抗して反電磁石ブロック５を方向に回動させる。この回動により可動接点ばね板２３Ｂは両端の可動接点部が固定接点部２０，２０から開離してシールド板１６Ｂの内面、つまりアース接点部に接触してアース端子２７ａ、２７ｂを介して接地される。
【００４９】
一方可動接点ばね板２３Ａは両端の可動接点部を固定接点端子１９ａ，１９ｂの固定接点部２０、２０に接触して両固定接点端子１９ａ、１９ｂ間を導通させる。この状態が図１の状態である。
【００５０】
ここで可動接点ばね板２３Ａ，２３Ｂが移動して夫々の可動接点部が固定接点部２０，２０或いはシールド板１６Ｂの内面によるアース接点部に接触した後、更に撓もうしようとすると、夫々の成形支持体２４から延出したリブ２４ａが移動方向とは反対側の板面に当たり、夫々の可動接点ばね板２３Ａ，２３Ｂのばね長が実質的に短くなってばね負荷が大きくなり、結果大きな接点圧が得られることになる。
【００５１】
電磁石ブロック５の励磁を止めると、復帰ばね３１の付勢によりカード４は下部が電磁石ブロック５側へ移動するように回動して、可動接点ばね板２３Ａの両端部がシールド板１６Ａの内面のアース接点部に接触し、可動接点ばね板２３Ｂの両端部が固定接点端子１９ａ，１９ｃの固定接点部２０、２０に接触する状態に戻る。この際可動接点ばね板２３Ａ，２３Ｂの大きなばね復帰力により速やかに開放動作され、開放特性が向上することになる。また両側の可動接点ばね板２３Ａ，２３Ｂに対応してリブ２４ａを形成してあるので、ねじれが生じずカード４の平行移動が安定する。
【００５２】
尚両可動接点ばね板２３Ａ、２３Ｂに対応してリブ２４ａを基本形態では設けてあるが、何れか一方であっても良く、特に常開側の可動接点ばね板２３Ａに設けるだけでも良い。
【００５３】
図６の(III）は本基本形態におけるばね負荷曲線を示しており、従来例の場合（Ｉ）に比べて大きなばね負荷を得ていることが分かる。
【００５４】
（実施形態）
また図７に示すように成形支持体２４にインサートされ且つ成形支持体２４より突出する基部２３ａの幅寸法を幅広とし、この幅広部内おいて、リブ２４ａの幅Ｗをできるだけ広くすることでリブ２４ａに剛性を持たせることができ、リブ２４ａの撓みやそりを抑えるようしても良く、この場合安定したばね負荷が得られる。
【００５５】
またカード４，成形支持体２４，及びリブ２４ａの成形材料としてＬＰＣ材料を用いれば、リブ２４ａに剛性を持たせることができ、そのためリブ２４ａの撓みやそりを抑えることができ、上述と同様に安定したばね負荷が得られる。また耐熱性も向上する。
【００５６】
【発明の効果】
請求項１の発明は、第１の可動接点ばね板と、この第１の可動接点ばね板の両端方向に並置される第２の可動接点ばね板と、夫々の可動接点ばね板の中央部を夫々に対応して設けた成形支持体により支持して上記可動接点ばね板を板面に対して直交する方向に移動させるカードと、励磁時に上記板面の一方側方向に上記可動接点ばね板を移動させるようにカードを駆動する電磁石ブロックと、上記可動接点ばね板を挟み込む形で並行配設される２枚のシールド板から構成されたシールド部と、上記シールド板で囲まれた空間内に臨み、上記電磁石ブロックの励磁によるカード駆動時に上記第１の可動接点ばね板の移動方向の板面の両端部それぞれと接触し、上記電磁石ブロックの非励磁時のカードの復帰動作により上記第１の可動接点ばね板の上記移動方向の板面の両端部それぞれと開離する一対の第１の接点部と、上記電磁石ブロックの励磁によるカード駆動時に上記第２の可動接点ばね板の移動方向の板面の両端部それぞれと接触し、上記電磁石ブロックの非励磁時のカードの復帰動作により上記第２の可動接点ばね板の上記移動方向の板面の両端部それぞれと開離する上記シールド部の内面からなる一対の第２の接点部と、上記電磁石ブロックの励磁によるカード駆動時に上記第１の可動接点ばね板の移動方向とは反対側の板面の両端部それぞれと開離し、上記電磁石ブロックの非励磁時のカードの復帰動作により上記第１の可動接点ばね板の上記移動方向とは反対側の板面の両端部それぞれと接触する上記シールド部の内面からなる一対の第３の接点部と、上記シールド板で囲まれた空間内に臨み、上記電磁石ブロックの励磁によるカード駆動時に上記第２の可動接点ばね板の移動方向の板面の両端部それぞれと開離し、上記電磁石ブロックの非励磁時のカードの復帰動作により上記第２の可動接点ばね板の上記移動方向の板面の両端部それぞれと接触する一対の第４の接点部とを備え、上記第１の可動接点ばね板を支持する上記成形支持体と上記第２の可動接点ばね板を支持する上記成形支持体との少なくとも一方の両側からは、上記電磁石ブロックの励磁によるカード駆動時における上記可動接点ばね板の移動方向の板面とは反対側の板面に並行するように上記可動接点ばね板の両端方向に向かうリブが延出形成され、上記リブを延出形成した上記成形支持体から突出する上記可動接点ばね板の両側基部に、幅寸法を幅広とした広幅部が形成され、上記リブは、延出方向と直交する方向の幅寸法が上記広幅部の幅寸法内となるとともに、上記広幅部内において上記広幅部に並行するように延長形成されたので、電磁石ブロックの励磁による動作時に、可動接点ばね板の両端部が対応する接点部に接触してからのオーバートラベル過程で、リブの働きにより可動接点ばね板のばね長を実質的に短くしてばね負荷を大きくすることができ、その結果大きな接点圧が得られ、またこれにより開放特性を向上させることができるという効果がある。また、成形ばりが可動接点ばね板からはみ出す恐れがなくなり、安定したばね負荷が得られるという効果がある。また、リブに剛性を持たせることができ、そのためリブのそりや撓みが抑えられ、安定したばね負荷が得られるという効果がある。
【００５７】
請求項２の発明は、請求項１の発明において、上記第１の接点部が常開の接点部を、上記第４の接点部が常閉の接点部を、上記第２、第３の接点部がアース接点部を構成し、上記リブは、上記第１の可動接点ばね板を支持する上記成形支持体に形成されているので、高周波リレーの接点構成において、常開の接点部に対応する可動接点ばね板において、請求項１の発明の効果が得られる。
【００５８】
請求項３の発明は、請求項１の発明において、上記第１の接点部が常開の接点部を、上記第４の接点部が常閉の接点部を、上記第２、第３の接点部がアース接点部を構成し、上記リブは、上記第２の可動接点ばね板を支持する上記成形支持体に形成されているので、高周波リレーの接点構成において、常閉側の接点部に対応する可動接点ばね板において、アース接点部の接触動作時に請求項１の発明の効果が得られる。
【００５９】
請求項４の発明は、請求項１の発明において、上記リブは、上記第１の可動接点ばね板を支持する上記成形支持体と、上記第２の可動接点ばね板を支持する上記成形支持体との両方に形成されているので、請求項２，３の発明の効果を合わせて得られる上に、両側の可動接点ばね板のばね負荷がばらつかず、そのためねじれ等が発生しにくくなり、カードの平行移動が安定するという効果がある。
【００６３】
請求項５の発明は、請求項１乃至４の何れかの発明において、上記リブを含めた上記成形支持体の成形材料がＬＣＰ材料であるので、リブに剛性を持たせることができ、そのためリブのそりや撓みが抑えられ、安定したばね負荷が得られ、また耐熱性も向上できるという効果がある。
【図面の簡単な説明】
【図１】  （ａ）は本発明の基本形態の要部の一部破断せる拡大平面図である。
（ｂ）は同上に用いる可動接点ばね板の一部省略せる拡大正面図である。
【図２】  同上の分解斜視図である。
【図３】  （ａ）は同上の拡大平面断面図である。
（ｂ）は同上（ａ）のＡ−Ａ断面図である。
【図４】  （ａ）は同上の要部の一部破断せる拡大正面図である。
（ｂ）は同上の要部の一部省略せる拡大側面図である。
【図５】    同上の動作説明図である。
【図６】    同上と従来例のばね負荷特性の比較説明図である。
【図７】    本発明の実施形態の可動接点ばね板の一部省略せる拡大正面図である。
【図８】    従来例の動作説明図である。
【符号の説明】
１９ａ〜１９ｃ  固定接点端子
２０            固定接点部
１６Ａ，１６Ｂ  シールド板
２３Ａ，２３Ｂ  可動接点ばね板
２４            成形支持体
２４ａ          リブ
【図１】
0004110706.tif 000002
【図２】
0004110706.tif 000003
【図３】
0004110706.tif 000004
【図４】
0004110706.tif 000005
【図５】
0004110706.tif 000006
【図６】
0004110706.tif 000007
【図７】
0004110706.tif 000008
【図８】
0004110706.tif 000009